(57)【要約】  【課題】  電池の電力浪費を防止することができる電気機器を提供する。  【解決手段】  制御回路４を収容し、電池Ｂを装着する電池装着凹部１３を有する収容体１を備え、電池装着凹部１３に装着された電池Ｂの電力を給電線３を介して制御回路４に供給するように構成してある電気機器に、収容体１の底面１１から進退可能に突出している突出部と、該突出部を突出方向へ付勢するコイルばねとを有し、突出部の進退に応じて、給電線３を開閉する常閉型のスイッチ８を備える。【選択図】        図１
2007060406.tif 000002
【特許請求の範囲】
【請求項１】
電気回路を収容している収容体の電池装着部に装着された電池で前記電気回路に給電するようにしてある電気機器において、
前記収容体から進退自在に突出している突出部と、該突出部を突出方向へ付勢する弾性体とを有し、前記突出部の進退に応じて前記電池装着部及び前記電気回路間を開閉する常閉型のスイッチを備える
ことを特徴とする電気機器。
【請求項２】
前記突出部は、
前記電池装着部及び前記電気回路間が開状態になる位置へ前記突出部を重力によって退入させる錘を備える
ことを特徴とする請求項１に記載の電気機器。
【請求項３】
操作部と、
該操作部を照明する光源と
を備えることを特徴とする請求項１又は請求項２に記載の電気機器。
【請求項４】
前記電気回路及び前記電池装着部間が閉じた場合、前記光源を点灯させる手段を備える
ことを特徴とする請求項３に記載の電気機器。
【請求項５】
前記電気回路及び前記電池装着部間が閉じた場合、計時を開始する計時手段を備え、
該計時手段が所定時間を計時した場合、前記光源を消灯させる手段を備える
ことを特徴とする請求項４に記載の電気機器。
【請求項６】
光量を検出する光量検出手段を備え、
前記光量検出手段が所定光量未満の光量を検出した場合、前記光源を点灯させるようにしてある
ことを特徴とする請求項３乃至請求項５のいずれか一つに記載の電気機器。
【請求項７】
前記突出部及び前記操作部は離隔している
ことを特徴とする請求項３乃至請求項６のいずれか一つに記載の電気機器。
【請求項８】
前記操作部が操作された場合、遠隔操作対象機器を遠隔操作する操作信号を送信する送信手段を備える
ことを特徴とする請求項３乃至請求項７のいずれか一つに記載の電気機器。
【発明の詳細な説明】
【技術分野】
【０００１】
本発明は、電池の電力によって動作する電気回路を備える電気機器に関する。
【背景技術】
【０００２】
従来のバータイプの遠隔操作装置は、操作ボタンが配設された略直方体の収容体を備え、該収容体は、操作ボタンの操作に応じた操作信号の送信を制御する電気回路、及び該電気回路に電力を供給するための電池を装着する電池装着部を備えている。
【０００３】
遠隔操作装置の使用者は、操作ボタンを操作することで、操作対象機器、例えば液晶テレビ、ＤＶＤレコーダ等へ操作信号を送信させ、操作対象機器を遠隔操作することができる。
【特許文献１】実開平４−５５８８９号公報
【発明の開示】
【発明が解決しようとする課題】
【０００４】
しかしながら、従来の遠隔操作装置にあっては、遠隔操作装置に物が乗せられ、操作ボタンが押圧された状態になった場合、例えば、床に置かれた遠隔操作装置に座布団が乗せられた場合、操作信号が送信され続け、電池切れになる虞があった。
【０００５】
また、机に置かれた状態で使用されることがない電気機器、例えば無線マイクが電源入の状態で机上に放置された場合、電池装着部に装着された電池の電力が電気回路で浪費され、電池切れになる虞があった。
【０００６】
本発明は、斯かる事情に鑑みてなされたものであり、その目的は、収容体から進退自在に突出した突出部を有し、該突出部の進退に応じて電気回路及び電池装着部間を開閉する常閉型のスイッチを備えることにより、突出部が収容体へ退入した状態、例えば突出部を下方に向けて収容体が机に置かれた状態で、電池の電力が浪費されることを防ぐことができる電気機器を提供することにある。
【０００７】
また、本発明の他の目的は、収容体の姿勢に応じて、電池装着部及び電気回路間が開状態になる位置へ突出部を重力によって退入させる錘を備えることにより、収容体の姿勢に応じて、電気回路及び電池装着部間が開状態になり、電池の電力が浪費されることを防ぐことができる電気機器を提供することにある。
【０００８】
更に、本発明の他の目的は、操作部を照明する光源を備えることにより、暗闇の中であっても、使用者が操作部を視認することができる電気機器を提供することにある。
【０００９】
更にまた、本発明の他の目的は、電気回路及び電池装着部間が閉状態になった場合、光源が点灯するように構成することにより、使用者が机に置かれた収容体を持ち上げた場合、又は突出部を鉛直下方に向けた場合、自動的に操作部が照明される電気機器を提供することにある。
【００１０】
更にまた、本発明の他の目的は、電気回路及び電池装着部間が閉状態になった場合、計時を開始し、所定時間を計時したとき、光源を消灯させるように構成することにより、電気回路に給電が開始されてから所定時間、操作部を照明することができる電気機器を提供することにある。
【００１１】
更にまた、本発明の他の目的は、光量を検出する光量検出手段を備え、光量検出手段が所定光量未満の光量を検出した場合、光源が点灯するように構成することにより、外部の光量に応じて操作部を照明し、照明による無駄な消費電力を抑えることができる電気機器を提供することにある。
【００１２】
更にまた、本発明の他の目的は、操作部及び突出部を離隔配置することにより、操作部の操作時に突出部が押圧され、給電が停止することを防ぐことができる電気機器を提供することにある。
【００１３】
更にまた、本発明の他の目的は、操作信号の送信によって、電池の電力が浪費されることを防ぐことができる電気機器を提供することにある。
【課題を解決するための手段】
【００１４】
本発明に係る電気機器は、電気回路を収容している収容体の電池装着部に装着された電池で前記電気回路に給電するようにしてある電気機器において、前記収容体から進退自在に突出している突出部と、該突出部を突出方向へ付勢する弾性体とを有し、前記突出部の進退に応じて前記電池装着部及び前記電気回路間を開閉する常閉型のスイッチを備えることを特徴とする。
【００１５】
本発明にあっては、突出部が押圧された場合、電気回路及び電池装着部間が開状態になるため、電気回路への給電が停止し、電気機器の動作は停止する。例えば、突出部を下方へ向けて、収容体が机に置かれた場合、電気機器の動作は停止し、電池の電力は消費されない。
突出部の押圧が解かれた場合、突出部は弾性体の付勢力によって、突出方向へ進出して、電気回路及び電池装着部間は閉状態になり、電気回路は動作する。
【００１６】
本発明に係る電気機器は、前記突出部が、前記電池装着部及び前記電気回路間が開状態になる位置へ前記突出部を重力によって退入させる錘を備えることを特徴とする。
【００１７】
本発明にあっては、突出部が鉛直上方を向いている場合、突出部は錘に働く重力によって、鉛直下方、つまり収容体へ退入して、電気回路及び電池装着部間が開状態になり、電気機器の動作は停止する。
従って、突出部が鉛直上方を向いている場合、又は突出部が鉛直下方を向いた状態で収容体が置かれた場合、電気機器は動作せず、電池の電力は消費されない。
【００１８】
本発明に係る電気機器は、操作部と、該操作部を照明する光源とを備えることを特徴とする。
【００１９】
本発明にあっては、操作部は光源によって照明されるため、暗闇の中でも使用者は電気機器の操作部を視認することができる。
【００２０】
本発明に係る電気機器は、前記電気回路及び前記電池装着部間が閉じた場合、前記光源を点灯させる手段を備えることを特徴とする。
【００２１】
本発明にあっては、電気回路及び電池装着部間が閉状態になった場合、つまり電池から電気回路への給電が開始された場合、操作部は光源によって照明される。
【００２２】
本発明に係る電気機器は、前記電気回路及び前記電池装着部間が閉じた場合、計時を開始する計時手段を備え、該計時手段が所定時間を計時した場合、前記光源を消灯させる手段を備えることを特徴とする。
【００２３】
本発明にあっては、電気回路及び電池装着部間が閉状態になった場合、つまり電池から電気回路への給電が開始された場合、計時手段は計時を開始し、光源は点灯する。そして、計時手段が所定時間を計時した場合、光源は消灯する。従って、電気回路への給電が開始されてから所定時間、操作部は照明される。
【００２４】
本発明に係る電気機器は、光量を検出する光量検出手段を備え、前記光量検出手段が所定光量未満の光量を検出した場合、前記光源を点灯させるようにしてあることを特徴とする。
【００２５】
本発明にあっては、光量検出手段が光量を検出し、光量検出手段が所定光量未満の光量を検出した場合、光源は点灯する。従って、収容体外部が所定光量以上の場合、操作部は照明されず、収容体外部が所定光量未満の場合、操作部は照明される。
【００２６】
本発明に係る電気機器は、前記突出部及び前記操作部は離隔していることを特徴とする。
【００２７】
本発明にあっては、突出部と操作部とが離隔しているため、使用者によって操作部が操作される際に突出部が押圧され、電気回路への給電が停止する虞はない。
【００２８】
本発明に係る電気機器は、前記操作部が操作された場合、遠隔操作対象機器を遠隔操作する操作信号を送信する送信手段を備えることを特徴とする。
【００２９】
本発明にあっては、操作部の操作に応じて、遠隔操作対象機器を遠隔操作する操作信号を送信する。突出部が退入している場合、操作部が操作されても操作信号は送信されず、突出部が進出している場合、操作部の操作に応じて操作信号が送信される。
【発明の効果】
【００３０】
本発明によれば、突出部が収容体へ退入した場合、例えば突出部を下方に向けて収容体が机に置かれた状態で、電池の電力が浪費されることを防ぐことができる。
【００３１】
本発明によれば、収容体の姿勢に応じて、電気回路及び電池装着部間が開状態になり、電池の電力が浪費されることを防ぐことができる。
【００３２】
本発明によれば、操作部が照明されるため、暗闇の中であっても、使用者は操作部を視認することができる。
【００３３】
本発明によれば、使用者が机に置かれた収容体を持ち上げた場合、又は突出部を鉛直下方に向けた場合、操作部が自動的に照明されるため、使用者は、特別な操作を行うことなく照明された操作部を視認することができる。
【００３４】
本発明によれば、電気回路に給電が開始されてから所定時間、操作部を照明することができる。
【００３５】
本発明によれば、外部の光量が所定光量未満である場合、光源は操作部を照明し、所定光量以上である場合、操作部を照明しないため、照明による無駄な消費電力を抑えることができる。
【００３６】
本発明によれば、操作部の操作時に突出部が押圧されて、給電が停止することを防ぐことができる。
【００３７】
本発明によれば、操作信号の送信によって、電池の電力が浪費されることを防ぐことができる。
【発明を実施するための最良の形態】
【００３８】
以下、本発明をその実施の形態を示す図面に基づいて詳述する。
（実施の形態１）
図１は、実施の形態１に係る遠隔操作装置を模式的に示した一部破断側断面図、図２は、遠隔操作装置の斜視図、図３及び図４は、遠隔操作装置の要部を模式的に示す側断面図、図５は、遠隔操作装置のブロック図である。
【００３９】
図中１は、バータイプの遠隔操作装置を構成する中空略直方体の収容体である。収容体１は、複数の操作ボタン２が配設されている操作面１０、及び操作面１０に対向する底面１１を有し、底面１１における後端部の幅方向略中央部には、収容体１に収容された電池Ｂからの給電をオン・オフする常閉型のスイッチ８が設けられている。
また、収容体１は、遠隔操作対象機器、例えばＤＶＤレコーダを遠隔操作するための操作信号を赤外光で送信する送信部７を、前部１２の略中心部分に備えている。
【００４０】
更に、収容体１は、操作ボタン２の操作に対応した操作信号を送信部７に与える処理を行う制御回路４を適宜箇所に収容していて、底面１１のスイッチ８より前側には、電池Ｂを装着する電池装着凹部１３を形成している。
電池装着凹部１３は、底面１１側から見て略矩形であり、所定の電池Ｂ、例えば単３電池２本を収容するために必要な容積を有している。電池装着凹部１３の後部及び収容体１内部には、装着された電池Ｂの電力を制御回路４へ給電するための給電線３が配設されており、スイッチ８が給電線３を開閉するように構成されている。
【００４１】
給電線３は、電池装着凹部１３の内部にて側断面略Ｖ字状に曲成されていて、電池Ｂの電極に接続する電極接続部３ｃを有しており、電池装着凹部１３の後部に形成されたスリット状の孔部を挿通して、電池装着凹部１３及び収容体１内部に亘って配されている。また、給電線３は、収容体１の内部で、スイッチ８の接点を構成する電池側接点３ａ、及び制御回路側接点３ｂを有している。
【００４２】
スイッチ８は、移動することで電池側接点３ａ及び制御回路側接点３ｂの間を開閉する導電性の接続板部８３を、各接点の操作面１０側に備えている。
【００４３】
また、スイッチ８は、収容体１の底面１１から進退可能に突出していて、図３及び図４に示すように、収容体１に対して進出及び退入することで給電線３を開閉するための円柱状の突出部８１を備えており、収容体１は、収容体１の内側へ退入可能に突出部８１の一部が遊嵌する遊嵌凹部１１ａを底面１１に形成している。突出部８１は、遊嵌凹部１１ａ内で縮径した円柱部分８１ａを形成していて、円柱部分８１ａは、遊嵌凹部１１ａの底部１１ｂに形成された孔部１１ｃに移動可能に挿通している。接続板部８３は略中央部に孔部８３ａを形成していて、接続板部８３の孔部８３ａに円柱部分８１ａの一部が嵌合固定されている。
また、突出部８１の突出側先端部分は、側断面が円弧状をなすように形成されている。
【００４４】
また、円柱部分８１ａの外周には、突出部８１を収容体１の外側へ付勢するコイルばね８２が巻回されており、コイルばね８２の一端が遊嵌凹部１１ａの底部１１ｂ、他端が突出部８１に当接している。
【００４５】
突出部８１が外部から収容体１の内側へ押圧された場合、突出部８１及び接続板部８３は、コイルばね８２の付勢力に逆らって収容体１の内側へ退入し、給電線３は開状態になる。押圧が解かれた場合、突出部８１は、コイルばね８２の付勢力によって突出方向へ進出し、給電線３は閉状態になる。
【００４６】
以下、遠隔操作装置の他の構成を説明する。
収容体１は、図１に示すように、回路基板５を収容しており、回路基板５には、操作ボタン２を照明する発光ダイオード６が、各操作ボタン２の裏側に位置するように配されている。操作ボタン２は、半透明樹脂にて形成されており、操作内容を示す記号又は文字等が印刷されている。発光ダイオード６が点灯した場合、操作ボタン２が収容体１内部から照明される。
【００４７】
また、収容体１は、外部の光量を検出するためのフォトダイオード９を、操作面１０の操作ボタン２から離隔した適宜箇所に備えている。フォトダイオード９の出力電圧は、制御回路４に入力し、制御回路４は、フォトダイオード９の出力電圧に基づいて、光量を特定する。
【００４８】
制御回路４は、操作ボタン２の操作状態、フォトダイオード９の出力電圧を検出する機能、発光ダイオード６を点灯させる機能を有している。また、制御回路４はタイマー４ａを備えており、発光ダイオード６を点灯させる所定時間として、５秒の時間を記憶している。
【００４９】
図６は、発光ダイオード６の点灯に係る制御回路４の処理手順を示すフローチャートである。
制御回路４に給電が開始された場合、制御回路４は、フォトダイオード９の出力電圧を検出することで、収容体１外部の光量を検出する（ステップＳ１）。
【００５０】
次いで、光量が所定光量以上であるか否かを判定する（ステップＳ２）。所定光量は、使用者が操作ボタン２の視認に要する光量であり、外部が所定光量以上である場合、使用者は操作ボタン２を視認することができ、所定光量未満の場合、視認困難になる。
光量が所定光量以上であると判定した場合（ステップＳ２：ＹＥＳ）、制御回路４は、処理を終える。光量が所定光量以上でないと判定した場合（ステップＳ２：ＮＯ）、制御回路４は、発光ダイオード６を点灯させ、タイマー４ａによる計時を開始する（ステップＳ４）。
【００５１】
そして、制御回路４は、タイマー４ａが５秒を計時したか否かを判定する（ステップＳ５）。タイマー４ａが５秒を計時したと判定した場合（ステップＳ５：ＹＥＳ）、制御回路４は、発光ダイオード６を消灯させ（ステップＳ６）、処理を終える。タイマー４ａが５秒を計時していないと判定した場合（ステップＳ５：ＮＯ）、制御部は、再度ステップＳ５の処理を実行する。
【００５２】
ステップＳ１乃至ステップＳ６の処理実行中においても、制御回路４は、操作ボタン２の操作を検出するようにしてあり、操作ボタン２の操作を検出した場合、実行中の処理を一時中断して、操作信号の送信に関する処理を実行する。そして、操作信号の送信を終えた場合、一時中断した処理の実行を再開する。
【００５３】
このように構成される実施の形態１に係る遠隔操作装置にあっては、突出部８１を下側にして、遠隔操作装置が机に置かれた場合、収容体１の重力によって、突出部８１は収容体１へ退入し、給電線３が開状態となり、電池Ｂから制御回路４への給電は停止する。従って、机に置かれた遠隔操作装置に座布団のような物が乗せられ、操作ボタン２が押圧された状態であっても、操作信号が送信され続けることはなく、電池切れになる虞はない。
【００５４】
また、机に置かれた遠隔操作装置が暗闇の中で持ち上げられ、制御回路４に給電が開始された場合、ステップＳ３の処理によって、操作ボタン２が照明されるため、使用者は、特別な操作を行うことなく暗闇の中であっても操作ボタン２を視認することができる。
【００５５】
更に、操作ボタン２の照明時間は５秒以内に制限されているため、発光ダイオード６が点灯し続けて、電池切れになる虞はない。
【００５６】
更にまた、収容体１の外部が所定光量以上の場合、つまり操作ボタン２の視認に照明を要しない場合、ステップＳ２の処理によって、発光ダイオード６は点灯せず、所定光量未満の場合、発光ダイオード６が点灯して、操作ボタン２が照明される。従って、無駄な照明による電池Ｂの電力消費を抑えることができる。
【００５７】
更にまた、操作面１０を下にして遠隔操作装置が机に置かれた状態で、突出部８１を押圧するように、座布団のような物が遠隔操作装置に乗せられた場合であっても、突出部８１は収容体１の内側へ退入し、給電線３が開状態になるため、遠隔操作装置に乗せられた物の重みで操作部が押圧されていても操作信号が送信され続けることはなく、電池切れになる虞はない。
【００５８】
更にまた、突出部８１と操作ボタン２とは離隔しているため、使用者が操作ボタン２と共に突出部８１を押圧し、制御回路４への給電を誤って停止させる虞はない。
【００５９】
なお、実施の形態１として遠隔操作装置を説明したが、これに限らず、液晶テレビ、蛍光灯等を遠隔操作する遠隔操作装置、無線マイクのように、机に置かれた状態で使用されることがない電気機器に適用しても良い。
【００６０】
また、実施の形態１で説明したスイッチの構成は一例であり、収容体１の外部から押圧された場合、給電線が開状態になる常閉型のスイッチであれば、他の構成であっても良い。
【００６１】
更に、操作ボタンの照明時間を５秒とした実施の形態を説明したが、使用者が操作ボタンを視認するのに要する時間より長ければ、５秒と異なる時間であっても良い。
【００６２】
更にまた、コイルばねを有する遠隔操作装置を説明したが、突出部を収容体の外側へ付勢する付勢力を突出部に与えるばね又は弾性体を、コイルばねに代えて備えても良い。
【００６３】
更にまた、発光ダイオードを有する遠隔操作装置を説明したが操作ボタンを照明可能な他の発光素子を備えるように構成しても良い。
【００６４】
更にまた、操作ボタンを収容体の内部から照明するように構成しているが、収容体の外側から操作ボタンを照明するように構成しても良い。
【００６５】
（実施の形態２）
図７及び図８は、実施の形態２に係る遠隔操作装置の要部を模式的に示す側断面図である。
実施の形態２に係る遠隔操作装置は、収容体１の姿勢に応じて突出部８１を収容体１の内側へ退入させる錘８４を備えている点で実施の形態１と異なるため、以下では主に上記相違点について説明する。
【００６６】
錘８４は、給電線３が閉状態でのコイルばね８２の付勢力よりも大きい重力を受ける質量を有しており、突出部８１が有する円柱部分８１ａの接続板部８３が設けられている部分に固定されている。
収容体１は、突出部８１及び錘８４が収容体１の内部を移動するために必要な空間を形成している。
【００６７】
突出部８１が鉛直上方を向いている場合、突出部８１は、錘８４の重力を受け、コイルばね８２の付勢力に逆らって収容体１の内側へ退入する。
【００６８】
実施の形態２に係る遠隔操作装置にあっては、収容体１を上下逆、つまり突出部８１を鉛直上方に向けた場合、図８に示すように、突出部８１が収容体１内の内側へ退入して、給電線３が開状態になり、制御回路４への給電が遮断される。従って、遠隔操作装置が操作面１０を下に向けた姿勢にある場合、操作ボタン２が押圧されても操作信号が送信され続け、電力が浪費される虞はない。
【００６９】
実施の形態２に係る他の構成、作用及び効果は実施の形態１に係る遠隔操作装置の構成、作用及び効果と同様であるため、対応する箇所には同様の符号を付してその詳細な説明を省略する。
【図面の簡単な説明】
【００７０】
【図１】実施の形態１に係る遠隔操作装置を模式的に示した一部破断側断面図である。
【図２】遠隔操作装置の斜視図である。
【図３】遠隔操作装置の要部を模式的に示す側断面図である。
【図４】遠隔操作装置の要部を模式的に示す側断面図である。
【図５】遠隔操作装置のブロック図である。
【図６】発光ダイオードの点灯に係る制御回路の処理手順を示すフローチャートである。
【図７】実施の形態２に係る遠隔操作装置の要部を模式的に示す側断面図である。
【図８】実施の形態２に係る遠隔操作装置の要部を模式的に示す側断面図である。
【符号の説明】
【００７１】
１  収容体
２  操作ボタン
３  給電線
４  制御回路
４ａ  タイマー
５  回路基板
６  発光ダイオード
７  送信部
８  スイッチ
９  フォトダイオード
１０  操作面
１１  底面
１１ａ  遊嵌凹部
１１ｂ  底部
１１ｃ  孔部
１３  電池装着凹部
８１  突出部
８２  コイルばね
８３  接続板部
８４  錘
Ｂ  電池
【図１】
2007060406.tif 000003
【図２】
2007060406.tif 000004
【図３】
2007060406.tif 000005
【図４】
2007060406.tif 000006
【図５】
2007060406.tif 000007
【図６】
2007060406.tif 000008
【図７】
2007060406.tif 000009
【図８】
2007060406.tif 000010